(57)【要約】【課題】ヒートポンプにより衣類の乾燥をおこなう洗濯乾燥機において、筐体外方に冷風あるいは温風を送風する送風機能を備えた洗濯乾燥機を提供することを目的とする。【解決手段】筐体３内の水槽１１の内部に回転可能に支承したドラム１９内において洗濯及び乾燥を行い、乾燥動作時には、筐体３内に配設したヒートポンプ３０および送風機３７の運転によって熱交換器３４，３６からの加熱空気をドラム１９内に導入して洗濯物を乾燥させる洗濯乾燥機１において、前記乾燥動作時を除く任意時にヒートポンプ３０を駆動させて冷風を筐体３外方に送風する送風機能を具備することを特徴とする。【選択図】図１
2008279175.tif 000002
【特許請求の範囲】
【請求項１】
筐体内の水槽の内部に回転可能に支承したドラム内において洗濯及び乾燥を行い、乾燥動作時には、前記筐体内に配設したヒートポンプおよび送風機の運転によって熱交換器からの加熱空気を前記ドラム内に導入して洗濯物を乾燥させる洗濯乾燥機において、
前記乾燥動作時を除く任意時に前記ヒートポンプを駆動させて冷風を筐体外方に送風する送風機能を具備することを特徴とする洗濯乾燥機。
【請求項２】
前記送風機能が、前記乾燥動作時を除く任意時に温風を筐体外方に送風可能であることを特徴とする請求項１に記載の洗濯乾燥機。
【請求項３】
冷風及び温風を切り替えて筐体外方に送風する制御機構を備えたことを特徴とする請求項２に記載の洗濯乾燥機。
【請求項４】
前記制御機構は、室温に応じて冷風及び温風を切り替えることを特徴とする請求項３に記載の洗濯乾燥機。
【発明の詳細な説明】
【技術分野】
【０００１】
本発明は、ヒートポンプによる衣類乾燥機能を有するとともに筐体外方への送風機能を具備した洗濯乾燥機に関する。
【背景技術】
【０００２】
近年、洗濯乾燥機は、図８に概略構成を示すように、回転槽を横軸型のドラム１０９とし、開口を筐体１０２の前面側に設けて洗濯物の投入口１０４とした、いわゆるドラム式洗濯乾燥機１０１が商品化され普及しつつある。この種のドラム式洗濯乾燥機における洗濯用の水槽１０６は横向き円筒状をなし、外郭を形成する筐体１０２の内部に、水平に対して前方が高くなるように支持装置１１１を介して弾性的に支持されており、この水槽１０６の内部には、水槽１０６との間に間隙を形成してドラム１０９を回転可能に設け、ドラム１０９は水槽１０６の後面に取り付けられたＤＣブラシレスモータ１１０により直接回転駆動される。
【０００３】
筐体１０２の前面側に設けた洗濯物を出し入れするための投入口１０４には、投入口１０４を開閉するドア１０５が配設されており、洗濯、脱水時にはドア１０５をロックして水槽１０６内の洗濯水が隙間などから外部にあふれ出ないよう密閉された構造とし、洗濯物の乾燥に際しては、別途、水槽１０６の上方に配置した乾燥ヒータ１１３およびファン１１７からなる乾燥ユニット１１２で生成される加熱空気をドラム１０９内に導入して衣類などを乾燥させたり、また、最近では、ヒートポンプによる凝縮熱を利用した衣類乾燥装置を設けた技術が発明されている。
【０００４】
さらに、図９に示すように、横軸型の回転槽１２９による衣類乾燥装置１２１に関し、衣類乾燥に加えてヒートポンプ（冷凍サイクル）１３２により空調をおこなうものが提案されている（例えば、特許文献１参照）。
【０００５】
これは、ヒートポンプ１３２において、圧縮機１３４で圧縮された冷媒を凝縮する加熱用フィン１３３から排出された加熱空気を回転ドラム状の乾燥室１２９に導入し衣類を乾燥させる動作と、この衣類乾燥のための空気循環路１３８、１３９を遮断した状態でファン１３７により装置外部から導入した外気を加熱用フィン１３３及び冷却除湿フィン１３６で加熱及び冷却して吹出口１４１より装置外へ排出する空調動作と、を切り替えて行うものがある。
【特許文献１】特開平９ー５６９９２号公報
【発明の開示】
【発明が解決しようとする課題】
【０００６】
しかしながら、上記特許文献１に示されている構成は、衣類乾燥装置であって洗濯乾燥機としての構成とは相違することから、洗いやすすぎ、あるいは脱水から乾燥に至る制御構成を具備しておらず、したがって、これら洗濯乾燥運転と装置外への空気排出運転との関連についても考慮されているものではなかった。
【０００７】
本発明は上記の点を考慮してなされたものであり、ヒートポンプにより衣類の乾燥をおこなう洗濯乾燥機において、筐体外方に冷風あるいは温風を送風する送風機能を備えた洗濯乾燥機を提供することを目的とする。
【課題を解決するための手段】
【０００８】
上記課題を解決するために、本発明の洗濯乾燥機は、筐体内の水槽の内部に回転可能に支承したドラム内において洗濯及び乾燥を行い、乾燥動作時には、前記筐体内に配設したヒートポンプおよび送風機の運転によって熱交換器からの加熱空気を前記ドラム内に導入して洗濯物を乾燥させる洗濯乾燥機において、前記乾燥動作時を除く任意時に前記ヒートポンプを駆動させて冷風を筐体外方に送風する送風機能を具備することを特徴とする。
【発明の効果】
【０００９】
本発明の洗濯乾燥機では、ヒートポンプによる温風および除湿機能で洗濯物の乾燥を行うことができるとともに、ヒートポンプを利用した冷風を筐体の外方向に吹き出して周辺空間をより快適な雰囲気にすることができる。
【発明を実施するための最良の形態】
【００１０】
（第１実施形態）
以下、本発明の実施形態について図面を参照して説明する。
【００１１】
図１は、本発明の第１実施形態に係る洗濯乾燥機１の断面図であり、図２は同洗濯乾燥機１に設けられた操作パネル５の正面図、図３は同洗濯乾燥機１の制御構成を示すブロック図、図４は空調運転の制御手順を示すフロー図、図５は同洗濯乾燥機１の各種運転の行程を示す図である。
【００１２】
本実施形態の洗濯乾燥機１は、図１に示すように傾斜形のドラムを備えたドラム式洗濯機であって、外郭を形成する筐体３の上部前面側に洗濯コースなどを選択設定するための操作パネル５を配置するとともに、前面中央部分に洗濯物を出し入れする円形の投入口７が開口している。この投入口７は透明窓を備えたドア９により開閉自在に閉塞されており、閉扉時にドア９の前面が筐体３の前面とほぼ同一面になるようになっている。
【００１３】
筐体３の内部には、前方に向かって上方へ傾斜する円筒状の水槽１１が、サスペンション１２により弾性的に支持された状態で配設され、前面に設けられた開口部１１ａと投入口７とが全体として筒状をなすゴムなどの弾性材からなるベローズ１３により水密に連通するように接続されている。
【００１４】
この水槽１１は、上部に給水弁１４及び洗剤ケース１８を介して給水接続管１５と接続され、水道などの給水源から水と洗剤ケースに収納された洗剤とが内部に供給されるとともに、背面側の下方に排水弁１６を介して排出ホース１７と接続され、内部の洗濯水を機外へ排出するようになっている。
【００１５】
水槽１１の内部には、洗濯物を収容する有底円筒状のドラム１９が水槽１１と同軸状に配設されている。このドラム１９は、水槽１１に沿う傾斜状態に支承されており、胴部周壁に多数の脱水孔１９ａと、その内周面には洗濯物掻き上げ用のバッフル１９ｂを複数有している。またドラム１９は前面開口側に環状のドラムカバー１９ｃを取り付けてベローズ１３とともに投入口７に対向して配置されており、洗い行程および脱水行程における共用槽として機能するものである。
【００１６】
ドラム１９は、背面の中心部分から後方へ突出するドラム軸２１により水槽１１の閉塞された背面部に軸支されており、ドラム軸２１に接続されたモータ２３によって回転駆動されるようになっている。
【００１７】
モータ２３は、例えば、アウタロータ形のブラシレスモータであって、水槽１１の背面に配設されたハウジング２５に固定された固定子２７と、この固定子２７の外方に配設された回転子２９とを備え、回転子２９がドラム軸２１の後端部と一体回転可能に連結されており、ドラム軸２１を介してドラム１９をダイレクトに回転駆動するようになっている。モータ２３には、複数のホール素子を有して構成される回転センサ２４が設けられており、回転するモータ２３の回転子２９の位置とドラム１９の回転速度に相当するモータ２３の回転速度を検出するようになっている。
【００１８】
このような構成の洗濯乾燥機１は、洗い、すすぎ、脱水の各機能行程を選択設定して自動的に実行するものであり、投入口７より洗濯物をドラム１９内に投入しドア９を閉じた後、例えば、図５（ａ）において洗濯運転時に行われる各行程を示すように、洗い行程では、給水弁１４を開いて洗剤及び洗濯水を水槽１１内に供給した状態でドラム１９を低速回転させ、洗濯物をバッフル１９ｂで掻き上げては落下させる撹拌運動を実行した後、排水弁１６を開いて水槽１１内の洗濯水を排水ホース１７から機外に排出する。すすぎ行程では、ドラム１９を高速回転させる洗濯物の脱水と、給水弁１４を開いて洗濯水を水槽１１内に供給した状態でドラム１９を低速回転させる攪拌と、排水弁１６を開き水槽１１内の洗濯水の排水と、をそれぞれ２回ずつ繰り返し実行する。脱水行程では、ドラム１９を一方向に高速回転させて胴部周壁に設けた多数の脱水孔１９ａから遠心脱水する。
【００１９】
そして、筐体３下部の幅方向のほぼ中央部には、前後方向にわたってヒートポンプ３０のユニットを設置し、洗濯行程が終了した後の乾燥動作の際にドラム１９を様々に回転させつつ、ヒートポンプ３０を駆動することで凝縮器３３によって生成される熱を洗濯物の乾燥に使用している。
【００２０】
詳細には、ヒートポンプ３０は、筐体３の底面一側部に冷媒を圧縮し吐出する圧縮機３４を配置するとともに、圧縮機３４から吐出された高温高圧の冷媒ガスを放熱して凝縮する前記凝縮器３３、高圧冷媒を減圧する膨張弁や毛細管などの減圧装置３５、および減圧された冷媒を蒸発させて吸熱する蒸発器３６を環状に配管接続して構成されており、洗濯乾燥運転の乾燥行程においてヒートポンプ３０を駆動したときには、同時に凝縮器３３の背面側に配置した乾燥用送風機３７を回転させるように制御する。
【００２１】
また、ヒートポンプ３０及び乾燥用送風機３７は、筐体３に対してドラム１９や水槽１１が前方上部に向かって傾斜状態に配置されていることから、水槽１１と本体底面との間に形成される空間を利用して設置しており、ヒートポンプ専用の大きなスペースを必要とすることなくコンパクトに配設することができる。
【００２２】
乾燥用送風機３７は、高温となる凝縮器３３により約７０℃まで加熱された乾燥空気を、乾燥用送風機３７の下流側とドラム１９の背面側部分とを連通しているドラム入口ダクト３８を介してモータ２３の周辺部分からドラム１９内に吹き込ませて洗濯物と接触させることでこれを乾燥させる。洗濯物との接触で加湿状態になっている空気をドラム１９内から投入口７および周側の脱水孔１９ａを介して外方に流出させ、ドラム出口ダクト３９から低温の蒸発器３６部を通過させることで空気中の水分を除去し、次いで高温の凝縮器３３に戻すことで再び加熱された乾燥空気として循環させるものである。
【００２３】
そして、蒸発器３６に連通するドラム出口ダクト３９の途中から前方に分岐させた吹出流路４０の内部に蒸発器３６と対向する送風ファン４２を設け、後方に位置する蒸発器３６からの冷気を送風ファン４２が洗濯乾燥機１の前面下部に配設された吹出口４１より外方へ送風するようになっている。
【００２４】
ドラム出口ダクト３９の分岐部分には切換ダンパ４４が配設されており、乾燥行程時には、図１に示すように切換ダンパ４４によって吹出流路４０側を閉塞することでドラム出口ダクト３９から蒸発器３６側の送風路を開放し、図１において矢印で示すドラム１９内を循環する温風の流れを阻害しないようにしている。
【００２５】
一方、乾燥行程時を除く任意時において冷風を吹き出し機能させるには、図１において２点鎖線で示すように、切換ダンパ４４によってドラム出口ダクト３９側を閉塞した状態で、送風ファン４２を駆動すると共に吹出口４１を閉塞するルーバ４５を開くことで、ヒートポンプ３０により冷却されている蒸発器３６からの低温空気を吹出流路４０を介して吹出口４１より外方へ吹き出すようにする。
【００２６】
また、このとき、給水弁１４から注水チューブ４６を経て凝縮器３３に設けられた水冷管（不図示）に注水され凝縮器３３を冷却させ、凝縮器３３と熱交換した水を接続チューブ４７より水槽１１内に排水することで、凝縮器３３が異常高温になるのを防止して適切にヒートポンプ３０を機能させることができる。
【００２７】
なお、切換ダンパ４４がドラム出口ダクト３９を閉塞して送風ファン４２を駆動すると蒸発器３６から吹出口４１への風路は負圧になるが、筐体３の裏面に外気吸気口４９を穿設するとともに、蒸発器３６と凝縮器３３との間の風路壁に吸気口５０を穿設し、外気吸気口４９より取り込んだ機外の空気が吸気口５０を介して蒸発器３６に供給されるようになっている。
【００２８】
また、温風を吹き出し機能させるには、吸気口５０に配設されたＰＴＣヒータ４８を発熱させると共に、切換ダンパ４４によってドラム出口ダクト３９側を閉塞した状態で、送風ファン４２を駆動させ吹出口４１を閉塞するルーバ４５を開くことにより、外気吸気口４９より取り込んだ機外の空気をＰＴＣヒータ４８と熱交換させて風路内に導入し、吹出流路４０を介して吹出口４１より温風として外方へ吹き出すようにする。
【００２９】
吹出口４１を閉塞するルーバ４５は、両端部に設けられた枢軸が吹出口４１の側壁に係合して上下方向に回動可能に支承されており、切換ダンパ４４の動きに連動して枢軸を駆動させルーバ４５を所定角度回動させることで、吹出口４１を開閉するようになっている。
【００３０】
図２は、操作パネル５の詳細配置構成を示す平面図であって、表面に使用者が洗濯乾燥機１の運転のために操作する各種の操作キーや表示部を設けている。具体的には、操作キーとして、図５（ａ）〜（ｃ）に示すような洗濯運転、洗濯運転と乾燥動作を連続しておこなう洗濯乾燥運転、あるいは乾燥動作のみをおこなう乾燥運転などを、押圧により選択し設定するための洗濯運転モードキー５２、洗い〜乾燥の個々の行程を押圧により選択してそれぞれの時間や回数を指示設定するための行程選択キー５３、また、タイマー予約時刻を選択するための予約キー５４や洗濯乾燥機１の電源をオンオフする電源キー５５、さらには、洗濯運転をスタートしたり一時停止するための円形に大きく設けたスタート・一時停止キー５６などが配置され、これらのキーは押釦スイッチにより、押圧した回数だけ操作信号が出力されるように構成されている。
【００３１】
さらに、スタート・一時停止キー５６の外周には、環状の操作ダイヤル５７を所定角度ずつ回転して節動感が得られるように回転可能に配設している。この操作ダイヤル５７は、回転式可変抵抗器やロータリーエンコーダなどからなる回転スイッチの回転軸に取り付けられており、操作ダイヤル５７を回転操作することで回転方向や角度に応じた操作信号が出力されるように構成されている。
【００３２】
洗濯運転モードキー５２は、選択されているキー表面の表示部５２ａをその裏面に設けた赤色の発光ダイオード（ＬＥＤ）により点灯して運転モードを明示するようにしている。また、液晶表示パネル５８には、前記洗濯運転モードで選択されている洗濯や乾燥のコース内容を表示するコース表示部５９を設けており、操作ダイヤル５７を回転させることによって、このコース表示部５９の表示事項に対応して設けた液晶表示部５９ａを点灯表示することで選択するようにしているほか、隣接する表示部６０に、現在時刻や予約時間、残り運転時間、あるいは洗い行程や脱水行程の設定時間やすすぎの回数を数値で選定表示するように構成している。
【００３３】
操作パネル５の裏面には、操作回路を備える制御ユニット６が配設されており、操作パネル５の各種操作キーに基づく押圧操作信号と、操作ダイヤル５７の操作に基づく回転操作信号とを、筐体３の前面下部に配設した駆動制御ユニット内の制御手段８に出力する。
【００３４】
図３において洗濯乾燥機１の制御ブロックを示すように、制御手段８はマイコンを含む検知回路で構成され、マイコンはあらかじめ記憶されている情報を基に検知をおこない、それに応じた運転制御を実行している。
【００３５】
そして、ＡＣ電源６３からの電力を、ＤＣ電源回路６４により整流し平滑したＤＣ電源を電力として制御手段８に供給するとともに、電源スイッチ５５のオンにより電源リレーを付勢して運転をスタートさせ、それと同時に出力が必要となる給水源からの給水弁１４や排水弁１６、モータ２３、ヒートポンプ３０、乾燥用送風機３７、切換ダンパ４４、及びルーバ４５などに電力を供給し、制御手段８の指示にしたがって駆動をおこなう。
【００３６】
また、回転センサ２４によってモータ２３の回転数を制御手段８に入力し、水槽１１内の貯留水位を検知するための水位センサ６７からの水位検知信号や、蒸発器３６と凝縮器３３との間の風路壁に穿設した吸気口５０近傍の外部に設けた温度センサ６８で洗濯乾燥機１の周辺雰囲気の温度を検知し、制御手段８に入力することで、各運転行程に合わせた制御を行い、さらに、ドアスイッチ６９により洗濯乾燥機１のドア状態を検出してドアロックの開閉制御を行う。
【００３７】
さらに、操作パネル５における各操作キー５２〜５６および操作ダイヤル５７のスイッチと表示部５８により、使用者の操作および運転状態に応じて表示をおこない、ブザー７０で、使用者の操作時や運転動作終了時、異常時などの制御手段８の指示に応じて表示をおこなう。
【００３８】
なお、各操作キー５２〜５６で設定された仕様は不揮発性メモリ７１で記憶され、次の電源オン時に記憶された風量や運転時間、設定温度を液晶表示パネル５８に表示することからスタートする。
【００３９】
しかして、操作パネル５における洗濯運転モードキー５２の近傍に空調運転モードキー６１を同様に設ける。この空調運転モードキー６１は、冷風を送風する冷風運転モード、温風を送風する温風運転モード、及び室温に応じて冷風及び温風を切り替えて送風する自動運転モードを押圧により選択し設定するものであって、電源のオン中に空調運転モードを設定したときには、図５（ａ）〜（ｃ）に示すように、ヒートポンプ３０を使用する乾燥行程中以外であれば任意のタイミングで空調運転の実行を可能にしており、選択された運転モードに対応する送風表示部６１ａを青色のＬＥＤで点灯表示するようになっている。
【００４０】
より具体的には、図４のフロー図に示すように、電源キー５５が押圧され電源がオンされた状態において、空調運転モードキー６１の押圧によって空調運転モードの設定（ステップＳ１０１）がなされ、さらにスタートキー５６が押圧（ステップＳ１０３）されると、ステップＳ１０５において洗濯機乾燥機１が乾燥運転中であるか否か判断し、乾燥運転中であれば空調運転を実行せずに終了し、乾燥運転中でなければステップＳ１０７に進む。
【００４１】
なお、ステップＳ１０５において乾燥運転中であり空調運転を実行せずに終了する場合、空調運転モードキー６１部分の青色ＬＥＤ６１ａを点灯せず液晶表示パネルの表示部６０に「空調運転できません」との文字を所定時間にわたって点滅表示するなどにより、乾燥運転中に空調運転の受付ができないことを使用者に報知してもよい。
【００４２】
ステップＳ１０７では、ステップＳ１０１において設定された空調運転モードを判別し、冷風運転モードが設定されていれば冷風運転を実行し（ステップＳ１０９）、冷風運転を予め設定された時間継続する（ステップＳ１１１）。ステップＳ１０１において温風運転モードが設定されていれば温風運転を実行し（ステップＳ１１３）、温風運転を予め設定された時間継続する（ステップＳ１１５）。また、ステップＳ１０１において自動運転モードが設定されていれば自動運転モードを実行するためステップＳ１１７に進む。
【００４３】
ステップＳ１１７において温度センサ６８により洗濯乾燥機１が配置された室内の温度Ｔｃを測定し、室温Ｔｃが、冷風運転温度（例えば、２８℃）以上であれば冷風運転を実行し（ステップＳ１１９）、温風運転温度（例えば、１８℃）未満であれば温風運転を実行し（ステップＳ１２１）、温風運転温度以上であって冷風運転温度未満であれば空調運転を実行せずヒートポンプ３０を停止させ（ステップＳ１２３）、予め設定された時間継続して室温Ｔｃの測定及び測定した室温Ｔｃに応じた運転・停止を行うステップＳ１１７〜Ｓ１２３を繰り返す（ステップＳ１２５）。
【００４４】
以上のように、本実施形態に係る洗濯乾燥機１では、筐体外部への送風機能を具備した洗濯乾燥機１において、洗濯乾燥機１の起動中であっても乾燥運転が実行されているときにはヒートポンプ３０を優先して乾燥運転に使用するため空調運転機能を解除し停止させ、乾燥運転以外の任意時には空調運転を可能とするよう制御することで、使用者が可否を判断せずとも衣類の乾燥効率を阻害することなく洗濯乾燥機１が設置された雰囲気温度を調温することができ、使い勝手のよい洗濯乾燥機を提供することができる。
【００４５】
しかも、冷風運転、温風運転、及び室温に応じた自動運転を使用者が切替え設定することができ、使用者の欲求に応じた空調運転が可能となる。
【００４６】
また、洗濯乾燥機１が乾燥運転中につき空調運転を受け付けない場合は、その旨が表示パネル５８に表示され使用者に報知することができるため、故障と勘違いすることなくわかりやすく使い勝手のよい洗濯乾燥機を提供することができる。
【００４７】
（第２実施形態）
次に第２実施形態について、図６を参照して説明する。上記した第１実施形態と同一又は対応する要素には同一符号を付し、重複する説明は省略する。
【００４８】
本実施形態と上記した第１実施形態との相違点は、ヒートポンプ３０によって加熱された温風を吹出口４１より吹き出すようにする点にある。
【００４９】
すなわち、ヒートポンプ３０において、冷媒が凝縮器３３から蒸発器３６に向かって流れる流路と蒸発器３６から凝縮器３３に向かって流れる流路とを切り替える四方弁（不図示）を設け、この四方弁により冷媒流路を切り換えて圧縮機３４からの高温冷媒を蒸発器３６に導入して凝縮作用を行わせることで蒸発器３６を高温側熱交換器として機能させ、切換ダンパ４４によってドラム出口ダクト３９側を閉塞した状態で、送風ファン４２を駆動すると共に吹出口４１を閉塞するルーバ４５を開くことにより高温空気を吹出口４１より外方へ吹き出すようにする。
【００５０】
なお、本実施形態においても、上記した第１実施形態と同様に吸気口５０にＰＴＣヒータを配設し、高温側熱交換器としての蒸発器３３と該ＰＴＣヒータとを併用して外気吸気口４９から取り込んだ外気を加熱しても良い。
【００５１】
なお、図７に本実施形態の変更例に係る洗濯乾燥機１の部分断面図を示すように、上記した蒸発器３６と凝縮器３３との間に設けた吸気口５０に加え、凝縮器３３と乾燥用送風機３７との間の風路壁にも吸気口５１を穿設し、両吸気口５０，５１にそれぞれ開閉シャッタを配設している。
【００５２】
そして、四方弁により冷媒流路を切り換えて圧縮機３４からの高温冷媒を蒸発器３６に導入して蒸発器３６を高温側熱交換器として機能させ、減圧装置３５を介して減圧された冷媒を凝縮器３３に導入して凝縮器３３を低温側熱交換機として機能させた状態において、吸気口５０を閉塞し凝縮器３３と乾燥用送風機３７との間の設けられた吸気口５１を開口させるとともに、切換ダンパ４４によってドラム出口ダクト３９側を閉塞して送風ファン４２を駆動し、吹出口４１を閉塞するルーバ４５を開くことにより、外気吸気口４９及び吸気口５１から取り込まれた外気が低温側熱交換機としての凝縮器３３を通過して除湿冷却され、高温側熱交換機としての蒸発器３６を通過して加熱され、水蒸気量の少ない除湿空気を吹出口４１から吹き出すことができる。
【図面の簡単な説明】
【００５３】
【図１】本発明の第１実施形態に係る洗濯乾燥機の断面図である。
【図２】本発明の第１実施形態に係る洗濯乾燥機に設けられた操作パネルの平面図である。
【図３】本発明の第１実施形態に係る洗濯乾燥機の制御構成を示すブロック図である。
【図４】本発明の第１実施形態に係る洗濯乾燥機の空調運転の制御手順を示すフロー図である。
【図５】本発明の第１実施形態に係る洗濯乾燥機における各種運転の行程を示す図である。
【図６】本発明の第２実施形態に係る洗濯乾燥機の断面図である。
【図７】第２実施形態の変更例に係る洗濯乾燥機の部分断面図である。
【図８】従来のドラム式洗濯乾燥機構成を示す縦断面図である。
【図９】他の従来構成を示す衣類乾燥装置の縦断面図である。
【符号の説明】
【００５４】
１…洗濯乾燥機、３…筐体、１１…水槽、１９…ドラム、３０…ヒートポンプ、３３…凝縮器、３４…圧縮機、３５…減圧装置、３６…蒸発器、３７…乾燥用送風機、３８…ドラム入口ダクト、３９…ドラム出口ダクト、４０…吹出流路、４１…吹出口、４２…送風ファン、４４…切換ダンパ
【図１】
2008279175.tif 000003
【図２】
2008279175.tif 000004
【図３】
2008279175.tif 000005
【図４】
2008279175.tif 000006
【図５】
2008279175.tif 000007
【図６】
2008279175.tif 000008
【図７】
2008279175.tif 000009
【図８】
2008279175.tif 000010
【図９】
2008279175.tif 000011